(57)【特許請求の範囲】
【請求項１】
動画像と静止画像を記録媒体に記録することができる記録装置であって、
動画像を記録する際には、第一の符号化方式により符号化した動画像を記録する手段と、
静止画像を記録する際には、前記第一の符号化方式により符号化した静止画像と第二の符号化方式により符号化した静止画像とを記録する手段とを備えていることを特徴とする記録装置。
【請求項２】
前記第一の符号化方式はＭＰＥＧ規格を用いた方式であり、前記第二の符号化方式はＪＰＥＧ規格を用いた方式であることを特徴とする請求項１記載の記録装置。
【請求項３】
請求項１記載の記録装置において、動画像を記録する際には、記録する動画像より画素数の少ない画像を記録し、静止画像を記録する際には、記録する静止画像より画素数の少ない画像を記録する手段を備えていることを特徴とする記録装置。
【請求項４】
請求項１記載の記録装置において、動画像及び静止画像を蓄えるメモリを有し、前記メモリに蓄えられた動画像を前記第一の符号化方式により符号化し、前記メモリに蓄えられた静止画像を前記第一の符号化方式及び前記第二の符号化方式により符号化することを特徴とする記録装置。
【請求項５】
請求項１記載の記録装置において、前記第一の符号化方式により符号化した動画像と前記第一の符号化方式により符号化した静止画像と前記第二の符号化方式により符号化した静止画像とを光ディスクに記録することを特徴とする記録装置。
【請求項６】
請求項１記載の記録装置において、光電変換手段を有し、前記光電変換手段によって映像信号に変換された動画及び静止画を符号化することを特徴とする記録装置。
【請求項７】
動画像と静止画像を記録媒体に記録することができる記録方法であって、
動画像を記録する際には、第一の符号化方式により符号化した動画像を記録し、
静止画像を記録する際には、前記第一の符号化方式により符号化した静止画像と第二の符号化方式により符号化した静止画像とを記録することを特徴とする記録方法。
【請求項８】
前記第一の符号化方式はＭＰＥＧ規格を用いた方式であり、前記第二の符号化方式はＪＰＥＧ規格を用いた方式であることを特徴とする請求項７記載の記録方法。
【請求項９】
請求項７記載の記録方法において、動画像を記録する際には、記録する動画像より画素数の少ない画像を記録し、静止画像を記録する際には、記録する静止画像より画素数の少ない画像を記録することを特徴とする記録方法。
【請求項１０】
請求項７記載の記録方法において、動画像をメモリに蓄えてから前記第一の符号化方式により符号化し、静止画像をメモリに蓄えてから前記第一の符号化方式及び前記第二の符号化方式により符号化することを特徴とする記録方法。
【請求項１１】
請求項７記載の記録方法において、前記第一の符号化方式により符号化した動画像と前記第一の符号化方式により符号化した静止画像と前記第二の符号化方式により符号化した静止画像とを光ディスクに記録することを特徴とする記録方法。
【請求項１２】
請求項７記載の記録方法において、光電変換によって映像信号に変換された動画及び静止画を符号化することを特徴とする記録方法。
【発明の詳細な説明】
技術分野
本発明は、動画・静止画を記録可能な映像記録技術に関する。
背景技術
近年、書き換え可能な光ディスク等の記録媒体の大容量化、及び動画圧縮技術の向上に伴い、光ディスクに動画像を記録出来るカメラやレコーダブルプレーヤなどの検討が行われており、共通なフォーマットで動画像、及び静止画像を光ディスクに記録を行うことが可能となってきている。
圧縮方式としては、動画像の記録はＭＰＥＧ（Ｍｏｖｉｎｇ Ｐｉｃｔｕｒｅ Ｅｘｐｅｒｔ Ｇｒｏｕｐ）規格を用いることが、圧縮率の点で有利である。なお、ＭＰＥＧ規格については「最新ＭＰＥＧ教科書」（（株）アスキー、１９９４年８月１日）などで公知の技術であり、詳細説明を省略する。
静止画圧縮方式においても、一般的な電子スチルカメラ等の静止画デジタル記録に用いられるＪＰＥＧ（Ｊｏｉｎｔ Ｐｈｏｔｏｇｒａｐｈｉｃ ｃｏｄｉｎｇ Ｅｘｐｅｒ−ｔｓ Ｇｒｏｕｐｅ）などの規格ではなく、ＭＰＥＧの動画像１フレーム分のデータＩピクチャで記録すれば、前記のレコーダブルプレーヤ等に於いて、ＭＰＥＧの圧縮形式を伸張できる手段があれば、動画、及び静止画の再生ともに可能であり、再生時にＪＰＥＧなどの伸張手段を必要とせず再生系のコストを削減できる。
しかしながら、動画像をリアルタイムで符号化するには非常に高速なデータ処理が必要なため、動画像１フレームあたりの画素数はあまり増やすことができない。例えば、ＭＰＥＧで現行テレビ方式程度の解像度を取り扱うメインプロファイルメインレベルという符号化レベルでは、１フレームあたりの最大画素数は水平７２０画素、垂直４８０画素である。一方、静止画に於いては、１枚あたりの符号化処理時間の制約はあまり無いので、撮像素子の高解像度化に合わせて取り扱う画素数を増やすことが可能である。したがって、現在の電子スチルカメラはＪＰＥＧ圧縮を用いて記録を行うものがほとんどであり、年々、取り扱える画素数が増えている。
レコーダブルプレーヤやプレーヤなどのＭＰＥＧをベースとした再生機器でも再生でき、かつ、高解像度の静止画記録も行うためには、ＭＰＥＧのＩピクチャと高精細のＪＰＥＧの両者を記録すればよい。そのような技術に関しては、例えば特開平１０−１０８１３３号公報に、一回の撮像で複数の異なる符号化方式で符号化して記録する技術や、動画と静止画の符号化および記録を同時に行う技術が紹介されている。しかしながら、このような従来技術は、高精細の撮像素子から読み出した静止画をＭＰＥＧのような動画像の符号化方式で符号化することに関しては配慮されておらず、特に、高精細の静止画読み出しと動画読み出しで撮像素子からの読み出し方が異なる点が考慮されていなかった。
また、上記従来技術には、再生時の検索などの使い勝手向上のために、符号化した静止画像と、間引きした静止画像の両方を記録する技術が紹介されているが、動画記録と静止画記録の両方に対応することについては配慮されていなかった。
発明の開示
単位時間に撮像素子から読み出せる画素数には限りがある。したがって、動画の１フレームあたりに読み出せる画素数にも限りがある。一方、静止画はゆっくり時間をかけてたくさんの画素数を読み出すことが出来る。したがって、高精細の撮像素子を用いた装置で高精細の静止画記録を行う場合、１フレーム以上の時間をかけて１枚の画像を読み出すことになり、動画記録と静止画記録で読み出し方法が異なることになる。
本発明の目的は、この課題を解決し、撮影された静止画を再生するときに動画再生をベースとしたレコーダブルプレーヤやプレーヤでも再生でき、かつ高精細の静止画記録を行うに好適な、映像記録、再生技術を提供することにある。
本発明の目的を達成するため、本発明では、動画像を記録する際には、第一の符号化方式により符号化した動画像を記録し、静止画像を記録する際には、前記第一の符号化方式により符号化した静止画像と第二の符号化方式により符号化した静止画像とを記録することとする。
発明を実施するための最良の形態
以下、本発明の実施例を説明する。
<実施例１>
第１図は、本発明に係る映像記録装置の一実施例としてのカメラ一体型記録装置を示すシステムブロック図である。同図に於いて、１０１は被写体の像を結像するための光学レンズ、１０２は結像した光を電気信号に変換するための光電変換手段であるＣＣＤセンサ、１０３は電気信号に変換された画像情報を映像信号に変換するための処理を行う信号処理部、１０４はＣＣＤセンサを駆動する駆動部、１０５は映像信号をＭＰＥＧなどの動画の符号化規格に則って圧縮処理を行う動画圧縮部、１０６は映像信号をＪＰＥＧなどの高精細静止画の符号化規格に則って圧縮処理を行う高精細静止画圧縮部、１０７は上記動画圧縮部１０５が圧縮処理の際に一時的に画像データを蓄えておくための動画メモリ部、１０８は上記高精細静止画圧縮部１０６が圧縮処理の際に一時的に画像データを蓄えておくための静止画メモリ部、１０９は高精細の静止画信号を１フレームの動画像信号と同じ信号形式に変換する信号変換部、１１０は集音した音声を電気的な音声信号に変換するマイク、１１１は音声信号をデジタル信号化し、所定のデジタル音声圧縮処理を行う音声圧縮部、１１２は動画圧縮部１０５で生成された動画圧縮ストリームと音声圧縮部１１１で生成された音声圧縮ストリームとを多重化する多重化部、１１３は記録するための動画像、静止画像のデータファイルの記録管理を行い、所定のファイルシステムで記録を制御するための記録制御部、１１４は光ディスク等の記録媒体、１１５は前記駆動部１０４、動画圧縮部１０５、高精細静止画圧縮部１０６、動画メモリ部１０７、静止画メモリ部１０８、及び記録制御部１１３を統括制御するためのシステム制御部、１１６は、動画撮影、静止画撮影の記録モードをユーザが選択するためのスイッチである。
スイッチ１１６にて動画撮影モードが選択されているときは、システム制御部１１５によりシステム全体が以下のように制御される。駆動部１０４はＣＣＤセンサ１０２に対して動画信号発生用の駆動を行い、光学レンズ１０１によって結像された像を、ＣＣＤセンサ１０２で電気信号に変換し、信号処理部１０３でデジタル信号化し、映像信号に変換処理し、動画メモリ部１０７に記憶し、動画圧縮部１０５と動画メモリ部１０７との間で圧縮行程中の映像データのやりとりがなされながら、順次動画圧縮ストリームに変換処理をし、マイク１１０で集音された音声を、音声圧縮部１１１で圧縮処理し、前記動画圧縮部１０５で生成された動画圧縮ストリームと前記音声圧縮部１１１で生成された音声圧縮ストリームとを多重化手段１１２にて多重化し、記録制御部１１３を介して、後述する所定の記録フォーマットで記録媒体１１４へ記録する。
スイッチ１１６にて静止画撮影モードが選択されているときは、システム制御部１１５によりシステム全体が以下のように制御される。駆動部１０４はＣＣＤセンサ１０２に対して静止画信号発生用の駆動を行い、光学レンズ１０１によって結像された像を、ＣＣＤセンサ１０２で電気信号に変換し、信号処理部１０３でデジタル信号化し、映像信号に変換処理する。静止画信号発生用の駆動では、高精細の映像信号が出力され、静止画像１枚分の映像信号は動画像信号の１フレーム期間を超える時間をかけて出力される。静止画メモリ部１０８は静止画像１枚分の映像信号を蓄える。そして、静止画メモリ部１０８に蓄えられた静止画像１枚分の画像データを、高精細静止画圧縮部１０６で静止画圧縮処理を行い、記録制御部１１３を介して、静止画ファイルデータとして、記録媒体１１４に記録する。さらに上記処理を行ったのち、静止画メモリ部１０８に蓄えられた静止画像１枚分の画像データを信号変換部１０９で１フレームの動画像信号と同じ信号形式に変換し、動画メモリ部１０７に記憶する。次に、動画圧縮部１０５がＭＰＥＧのＩピクチャなどに圧縮処理を行い、記録制御部１１３を介して、記録媒体１１４へ動画圧縮ストリームの形で記録を行う。
本実施例によれば、静止画の撮影時に、高精細の静止画から変換した動画圧縮ストリーム形式の静止画と、高精細の静止画データファイルの両方の記録を行うので、動画の再生をベースとしたレコーダブルプレーヤやプレーヤ上でも再生が可能であり、かつ同一の画像内容をパーソナルコンピュータ上などで高精細の静止画として取り出して扱うこともできるという効果がある。
なお、本実施例では、静止画メモリ部１０８から読み出したデータに信号変換部１０９で信号変換をかけるようにしたが、静止画撮影モードにおいて、信号処理部１０３から出力される高精細の映像信号に直接、信号変換部１０９で信号変換をかけるように構成しても良い。その場合、静止画メモリ部１０８への高精細静止画信号の記憶と、動画メモリ部１０７への１フレームの動画像信号の記憶を同時に行う。
また、本実施例における動画メモリ部１０７、静止画メモリ部１０８は、１つのメモリの異なるアドレス空間で構成しても良い。
また、信号変換手段１０９は、プログラムによりＣＰＵが静止画メモリ部１０８から静止画データを直接取得し、演算により１フレームの動画像データに変換して、動画メモリ部１０７へ直接書き込めるように構成しても良い。
また、動画圧縮部１０５と高精細静止画圧縮部１０６も、ディスクリートコサイン変換などの共通の処理回路を兼用し、モードを切り換えて動画像の圧縮または高精細静止画の圧縮のどちらかを行うように構成しても良い。この場合、高精細の静止画データファイルの記録を行う時と、高精細の静止画から変換した動画圧縮ストリーム形式の静止画を記録する時とでモードを切り換えれば良い。
第２図は、本実施例に係る、映像記録装置の動画、静止画の記録ファイル形式の一例である。同図に於いて、２０１は記録媒体である光ディスク上の論理的データファイル管理構造の最上位階層に当たるルートディレクトリ、２０２は動画（多重化された音声を含む）、静止画、及び音声データのデータファイルを記録するＤＶＤ＿ＲＴＡＶと名付けたディレクトリ、ＶＲ＿ＭＯＶＩＥ．ＶＲＯは動画データを格納するデータファイル、ＶＲ＿ＳＴＩＬＬ．ＶＲＯは前記のＭＰＥＧのＩピクチャで構成される静止画データ、及び音声圧縮音声データを格納するデータファイル、ＶＲ＿ＡＵＤＩＯ．ＶＲＯは音声のアフターレコーディング時の音声データを記録するためのデータファイル、ＶＲ＿ＭＡＮＧＲ．ＩＦＯは、ＶＲ＿ＭＯＶＩＥ．ＶＲＯ、ＶＲ＿ＳＴＩＬＬ．ＶＲＯ、ＶＲ＿ＡＵＤＩＯ．ＶＲＯの各ファイル上にどの様にデータファイルが記録されているかを示す、管理ファイルである。２０３は動画圧縮したデータファイル以外の、その他のデータファイルを記録するためのディレクトリで、本実施例に於いては一例としてＪＰＥＧというディレクトリ名としているが、このディレクトリ名については、なんら制限を設けるものではないし、ＪＰＥＧというディレクトリの下にＪＰＥＧファイルを作らず、ルートディレクトリ上に直接ＪＰＥＧファイルを記録するようにしてもよい。
動画撮影モード時には、第２図のＤＶＤ＿ＲＴＡＶディレクトリ２０２の下のＶＲ＿ＭＯＶＩＥ．ＶＲＯファイルに動画像データを記録するとともに、管理ファイルＶＲ＿ＭＡＮＧＲ．ＩＦＯの管理情報を書き換えて記録する。静止画撮影モード時には、ＶＲ＿ＳＴＩＬＬ．ＶＲＯファイルにＭＰＥＧＩピクチャの静止画データを記録し、管理ファイルＶＲ＿ＭＡＮＧＲ．ＩＦＯの管理情報を書き換えて記録するとともに、ＪＰＥＧ圧縮した画像データファイルを、ＪＰＥＧディレクトリ２０３の下に０００００００１．ｊｐｇとして記録し、以下、撮影が行われるごとに順次ＶＲ＿ＳＴＩＬＬ．ＶＲＯファイルにＭＰＥＧのＩピクチャ静止画を追記して記録するとともに、０００００００２．ｊｐｇ、と順次撮影ごとにファイル名をつけて記録を行う。
なお、本実施例においては、一例として０００００００１．ｊｐｇ、０００００００２．ｊｐｇといったようにファイル名を通し番号で、拡張子をｊｐｇと記載したが、ファイル名、拡張子名についても、何ら制限を設けるものではない。
従って、本実施例によれば、静止画の撮影時に、高精細の静止画から変換したＭＰＥＧ
のＩピクチャの静止画の記録と、高精細のＪＰＥＧの静止画データファイルの両方の記録を行うので、動画の再生をベースとしたレコーダブルプレーヤやプレーヤ上でも再生が可能であり、かつ同一の画像内容をパーソナルコンピュータ上などで高精細のＪＰＥＧ静止画として取り出して扱うこともできるという効果がある。
<実施例２>
第３図は、本発明に係る映像記録装置としてのカメラ一体型記録装置の一実施例を示すシステムブロック図である。本実施例では、再生時に検索などの目的で表示する縮小画面、いわゆるサムネイル画像も記録する。同図に於いて、１０１は被写体の像を結像するための光学レンズ、１０２は結像した光を電気信号に変換するための光電変換手段であるＣＣＤセンサ、１０３は電気信号に変換された画像情報を映像信号に変換するための処理を行う信号処理部、１０４はＣＣＤセンサを駆動する駆動部、１０５は映像信号をＭＰＥＧなどの動画の符号化規格に則って圧縮処理を行う動画圧縮部、１０６は映像信号をＪＰＥＧなどの高精細静止画の符号化規格に則って圧縮処理を行う高精細静止画圧縮部、１０７は上記動画圧縮部１０５が圧縮処理の際に一時的に画像データを蓄えておくための動画メモリ部、１０８は上記高精細静止画圧縮部１０６が圧縮処理の際に一時的に画像データを蓄えておくための静止画メモリ部、１０９は高精細の静止画信号を１フレームの動画像信号と同じ信号形式に変換する信号変換部、１１０は集音した音声を電気的な音声信号に変換するマイク、１１１は音声信号をデジタル信号化し、所定のデジタル音声圧縮処理を行う音声圧縮部、１１２は動画圧縮部１０５で生成された動画圧縮ストリームと音声圧縮部１１１で生成された音声圧縮ストリームとを多重化する多重化部、１１３は記録するための動画像、静止画像のデータファイルの記録管理を行い、所定のファイルシステムで記録を制御するための記録制御部、１１４は光ディスク等の記録媒体、１１５は前記駆動部１０４、動画圧縮部１０５、高精細静止画圧縮部１０６、動画メモリ部１０７、静止画メモリ部１０８、及び記録制御部１１３を統括制御するためのシステム制御部、１１６は、動画撮影、静止画撮影の記録モードをユーザが選択するためのスイッチであり、これらの構成および動作は第１図に示した第一の実施例と同じである。１１７は、動画像または高精細の静止画像を画面縮小してサムネイル用の画像を作成する画面縮小部である。
スイッチ１１６にて動画撮影モードが選択されているときは、第一の実施例と同様にして、動画圧縮部１０５で生成された動画圧縮ストリームと音声圧縮部１１１で生成された音声圧縮ストリームを多重化して記録媒体１１４へ記録する。それと同時に、動画メモリ部１０７から、記録する動画像を代表するフレーム画像、例えば先頭フレーム画像を読み出し、画面縮小部１１７により画面縮小して静止画メモリ部１０８に記憶する。縮小後の画面サイズはサムネイルとして用いられるサイズ、例えば水平１６０画素、垂直１２０画素とする。動画の記録が終了すると、静止画メモリ部１０８に記憶したサムネイル画像を高精細静止画圧縮部１０６で静止画圧縮処理を行い、動画ストリームとも静止画ファイルデータとも異なるサムネイルファイルデータとして、記録媒体１１４に記録する。
スイッチ１１６にて静止画撮影モードが選択されているときは、第一の実施例と同様にして、先ず、高精細静止画圧縮部１０６で生成した静止画ファイルデータと、動画圧縮部１０５で生成した動画圧縮ストリーム形式の静止画を記録媒体１１４へ記録する。次に、静止画メモリ部１０８から高精細静止画像を読み出し、画面縮小部１１７により画面縮小して再び静止画メモリ部１０８に記憶する。縮小後の画面サイズはサムネイルとして用いられるサイズ、例えば水平１６０画素、垂直１２０画素とする。その後、静止画メモリ部１０８に記憶したサムネイル画像を高精細静止画圧縮部１０６で静止画圧縮処理を行い、動画ストリームとも静止画ファイルデータとも異なるサムネイルファイルデータとして、記録媒体１１４に記録する。
本実施例によれば、動画の撮影時にも静止画の撮影時にも、動画を代表する画像または静止画像と同じ内容の縮小画像を記録するので、再生時にこの縮小画像を含んだ検索用画面などをすばやく表示することができ、ユーザの使い勝手を向上する効果がある。
上記実施例において、スイッチ１１６にて静止画撮影モードが選択されているときは、
動画メモリ部１０８から１フレームの動画像信号と同じ信号形式に変換した静止画像を読み出し、画面縮小部１１７により画面縮小して静止画メモリ部１０８に記憶し、その後、これを高精細静止画圧縮部１０６で静止画圧縮処理を行い、サムネイルファイルデータとして、記録媒体１１４に記録しても良い。
また、静止画メモリ部１０８に蓄えた高精細静止画像と動画メモリ部１０８に蓄えた１フレームの動画像信号と同じ信号形式に変換した静止画像のいずれか一方を読み出し、画面縮小部１１７により画面縮小して静止画メモリ部１０８に記憶し、その後、これを高精細静止画圧縮部１０６で静止画圧縮処理を行い、サムネイルファイルデータとして、記録媒体１１４に記録しても良い。
これらによっても、動画の撮影時にも静止画の撮影時にも、動画を代表する画像または静止画像と同じ内容の縮小画像を記録するので、再生時にこの縮小画像を含んだ検索用画面などをすばやく表示することができ、ユーザの使い勝手を向上する効果がある。
なお、信号変換手段１０９と画面縮小部１１７は、処理内容が似ているので統合して１つの処理部で構成しても良い。
また、画面縮小部１１７は、プログラムによりＣＰＵが動画メモリ部１０７または静止画メモリ部１０８から動画または静止画データを直接取得し、演算により縮小画像データに変換して、静止画メモリ部１０８へ直接書き込めるように構成しても良い。
また、本実施例はサムネイル画像を高精細静止画圧縮部１０６で符号化したが、これとは異なる符号化方式で符号化するように構成しても良い。
また、サムネイル画の符号化は、プログラムによりＣＰＵが静止画メモリ部１０８からサムネイル画データを直接取得し、演算により符号化を行って、図示しない後段（多重化部１１２または記録制御部１１３）に配置されたバッファメモリに符号化データを直接書き込めるように構成しても良い。
第４図は、本実施例に係る、映像記録装置の動画、静止画およびサムネイル画の記録ファイル形式の一例である。同図に於いて、２０１は記録媒体である光ディスク上の論理的データファイル管理構造の最上位階層に当たるルートディレクトリ、２０２は動画（多重化された音声を含む）、静止画、及び音声データのデータファイルを記録するＤＶＤ＿ＲＴＡＶと名付けたディレクトリ、２０３は静止画圧縮したＪＰＥＧデータファイルを記録するためのディレクトリで、その内容は第２図に示した記録ファイル形式と同じである。２０４はサムネイル画を圧縮したデータファイルを記録するためのディレクトリで、本実施例に於いては一例としてＴＨＵＭＢＮＡＩＬというディレクトリ名としているが、このディレクトリ名については、なんら制限を設けるものではないし、ディレクトリを作らず、ルートディレクトリ上に直接サムネイル画を圧縮したデータファイルを記録するようにしてもよい。また、本実施例に於いては一例として動画のサムネイルと静止画のサムネイルでディレクトリを分けていないが、動画のサムネイルと静止画のサムネイルでディレクトリを分けてもよい。
動画撮影モード時には、第４図のＤＶＤ＿ＲＴＡＶディレクトリ２０２の下のＶＲ＿ＭＯＶＩＥ．ＶＲＯファイルに動画像データを記録するとともに、管理ファイルＶＲ＿ＭＡＮＧＲ．ＩＦＯの管理情報を書き換えて記録する。さらに、ＪＰＥＧ圧縮したサムネイル画像データファイルをＴＨＵＭＢＮＡＩＬディレクトリ２０４の下にｔ００００００１．ｊｐｇとして記録する。次に、静止画撮影モード時には、ＶＲ＿ＳＴＩＬＬ．ＶＲＯファイルにＭＰＥＧＩピクチャの静止画データを記録し、管理ファイルＶＲ＿ＭＡＮＧＲ．ＩＦＯの管理情報を書き換えて記録するとともに、ＪＰＥＧ圧縮した高精細静止画像データファイルを、ＪＰＥＧディレクトリ２０３の下に０００００００１．ｊｐｇとして記録し、さらに、ＪＰＥＧ圧縮したサムネイル画像データファイルをＴＨＵＭＢＮＡＩＬディレクトリ２０４の下にｔ００００００２．ｊｐｇとして記録する。以下、動画または静止画の撮影が行われるごとに順次ＴＨＵＭＢＮＡＩＬディレクトリ２０４の下にｔ００００００３．ｊｐｇ、と順次撮影ごとにファイル名をつけて記録を行う。
なお、本実施例においては、一例として高精細静止画もサムネイル画もＪＰＥＧデータファイルとしたが、どちらもこの形式に限るものではなく、また、両者が異なる形式であっても構わない。
また、本実施例においては、一例としてｔ００００００１．ｊｐｇ、ｔ００００００２．ｊｐｇといったようにファイル名を通し番号で、拡張子をｊｐｇと記載したが、ファイル名、拡張子名についても、何ら制限を設けるものではない。
従って、本実施例によれば、動画の撮影時にも静止画の撮影時にも、動画を代表する画像または静止画像と同じ内容の縮小画像を記録するので、再生時にこの縮小画像を含んだ検索用画面などをすばやく表示することができ、ユーザの使い勝手を向上する効果がある。
<実施例３>
第５図は、本発明に係る映像再生装置の一実施例を示すシステムブロック図である。本実施例では、本発明に係る映像記録装置により記録された記録媒体を再生する。同図に於いて、１１４は光ディスク等の記録媒体、１１８は再生する動画像、静止画像のデータファイルの管理を行い、所定のファイルシステムで再生を制御するための再生制御部、１１９は動画圧縮ストリームと音声圧縮ストリームを分離してそれぞれ動画伸長部１２０と音声伸長部１２６へ送出するための分離部、１２０はＭＰＥＧなどの動画の符号化規格に則って圧縮された動画圧縮ストリームまたは静止画データファイルを伸長してもとの映像信号に復元する動画伸長部、１２１は上記動画伸長部１２０が伸長処理の際に一時的に画像データを蓄えておくための動画メモリ部、１２２はＪＰＥＧなどの符号化規格に則って圧縮されたサムネイルデータを伸長してもとのサムネイル画像に復元するサムネイル伸長部、１２３は上記サムネイル伸長部１２２が伸長処理の際に一時的に画像データを蓄えておくためのサムネイル画メモリ部、１２４は復元された動画データまたは静止画データまたはサムネイル画データを映像信号に変換するビデオ処理部、１２５は動画像を表示するための外部の表示装置あるいは記録装置などと接続し、動画データまたは静止画データまたはサムネイル画データを動画像の信号形式で出力するための映像出力端子、１２６は所定のデジタル音声圧縮方式で圧縮された音声圧縮ストリームを伸長してもとの音声信号を復元する音声伸長部、１２７は復元した音声信号を出力する音声出力端子、１２８は再生制御部１１８、動画伸長部１２０、動画メモリ部１２１、サムネイル画伸長部１２２、及びサムネイル画メモリ部１２３を統括制御するためのシステム制御部、１２９は画面上に並んだサムネイル画からユーザが選択できるようにするためのカーソル移動ボタンや決定ボタンなどの入力ボタンである。
記録媒体１１４には第４図に示したファイル形式で動画、静止画およびサムネイル画が記録されている。記録媒体１１４を再生すると、まず、システム制御部１２８によりシステム全体が以下のように制御され、サムネイル画の一覧が表示される。再生制御部１１８は記録媒体１１４に記録されたサムネイルデータファイルを順次再生し、サムネイル画伸長部１２２はこれを伸長し、サムネイル画メモリ１２３上に並べる。サムネイル画メモリ１２３上に作成されたサムネイル一覧は、ビデオ処理部１２４を介して映像出力端子１２５から出力され、外部に接続された表示装置上に表示される。次に、ユーザは、入力ボタン１２９によりサムネイル一覧上から見たい映像を選択する。
動画が選択されたときは、システム制御部１２８によりシステム全体が以下のように制御される。再生制御部１１８は選択されたサムネイルに対応する動画データファイルを再生し、分離部１１９で動画圧縮ストリームと音声圧縮ストリームに分離し、動画圧縮ストリームは動画伸長部１２０と動画メモリ部１２１との間で伸長工程中の映像データのやりとりがなされながら順次映像信号に変換処理し、動画メモリ部１２１から読み出し、ビデオ処理部１２４を介して映像出力端子１２５から出力し、音声圧縮ストリームは音声伸長部１２６で伸長処理し、音声出力端子１２７から出力する。
静止画が選択されたときは、システム制御部１２８によりシステム全体が以下のように制御される。再生制御部１１８は選択されたサムネイルに対応する２種類の静止画データファイルのうち、ＭＰＥＧのＩピクチャなどの動画圧縮ストリーム形式のデータファイルの方を再生する。再生したデータファイルは動画伸長部１２０で１フレームの動画像信号と同じ信号形式の静止画データに復元し、動画メモリ部１２１に記憶し、動画メモリ部１２１から繰り返し読み出しながら、ビデオ処理部１２４を介して映像出力端子１２５から出力する。
本実施例によれば、静止画のサムネイルを選択して静止画を表示しようとしたときに、そのサムネイルに対応する２種類の静止画データファイルのうち、動画圧縮ストリーム形式のデータファイルの方を再生して動画像形式の映像出力端子に出力するので、高精細の静止画信号を１フレームの動画像信号と同じ信号形式に変換する信号変換回路が不要になり、回路が簡略化される効果がある。さらに、本実施例のように、高精細の静止画信号を出力しない装置の場合は、高精細静止画の伸長回路も省略できる。
尚、出力先が高精細の静止画信号を出力する装置の場合は、選択したサムネイルに対応した２種類の静止画データファイルのうち、高精細静止画像データファイルを出力すればよいことは言うまでもない。このように出力先の装置の解像度によって、出力するファイルを選択するとよい。
<実施例４>
第６図は、本発明に係る映像再生装置の一実施例を示すシステムブロック図である。本実施例では、液晶パネルなどの表示媒体を内蔵し、再生した動画、静止画、サムネイル画を表示することができる。同図に於いて、１１４は光ディスク等の記録媒体、１１８は再生する動画像、静止画像のデータファイルの管理を行い、所定のファイルシステムで再生を制御するための再生制御部、１１９は動画圧縮ストリームと音声圧縮ストリームを分離してそれぞれ動画伸長部１２０と音声伸長部１２６へ送出するための分離部、１２０はＭＰＥＧなどの動画の符号化規格に則って圧縮された動画圧縮ストリームまたは静止画データファイルを伸長してもとの映像信号に復元する動画伸長部、１２１は上記動画伸長部１２０が伸長処理の際に一時的に画像データを蓄えておくための動画メモリ部、１２２はＪＰＥＧなどの符号化規格に則って圧縮されたサムネイルデータを伸長してもとのサムネイル画像に復元するサムネイル伸長部、１２３は上記サムネイル伸長部１２２が伸長処理の際に一時的に画像データを蓄えておくためのサムネイル画メモリ部、１２４は復元された動画データまたは静止画データまたはサムネイル画データを映像信号に変換するビデオ処理部、１２６は所定のデジタル音声圧縮方式で圧縮された音声圧縮ストリームを伸長してもとの音声信号を復元する音声伸長部、１２８は再生制御部１１８、動画伸長部１２０、動画メモリ部１２１、サムネイル画伸長部１２２、及びサムネイル画メモリ部１２３を統括制御するためのシステム制御部、１２９は画面上に並んだサムネイル画からユーザが選択できるようにするためのカーソル移動ボタンや決定ボタンなどの入力ボタンであり、これらの構成および動作は第５図に示した第三の実施例と同じである。１３０は再生した動画、静止画、サムネイル画を表示するための液晶パネルなどの表示媒体であり、１３１は再生した音声を鳴らすスピーカである。
記録媒体１１４を再生すると、第三の実施例と同様に、まず、サムネイル画の一覧が作成され、表示媒体１３０に表示される。次に、ユーザは、入力ボタン１３１によりサムネイル一覧上から見たい映像を選択する。
動画が選択されたときは、第三の実施例と同様に、選択されたサムネイルに対応する動画データファイルを再生し、表示媒体１３０に表示し、音声はスピーカ１３１により鳴らす。
静止画が選択されたときは、第三の実施例と同様に、選択されたサムネイルに対応する２種類の静止画データファイルのうち、ＭＰＥＧのＩピクチャなどの動画圧縮ストリーム形式のデータファイルの方を再生し、表示媒体１３０に表示する。
本実施例によれば、静止画のサムネイルを選択して静止画を表示しようとしたときに、そのサムネイルに対応する２種類の静止画データファイルのうち、動画圧縮ストリーム形式のデータファイルの方を再生して動画像形式で表示するので、高精細の静止画信号を１フレームの動画像信号と同じ信号形式に変換する信号変換回路が不要になり、回路が簡略化される効果がある。さらに、本実施例のように、高精細の静止画信号を出力しない装置の場合は、高精細静止画の伸長回路も省略できる。
尚、出力先が高精細の静止画信号を出力する装置の場合は、選択したサムネイルに対応した２種類の静止画データファイルのうち、高精細静止画像データファイルを出力すればよいことは言うまでもない。このように出力先の装置の解像度によって、出力するファイルを選択するとよい。
以上のように、本発明によれば、撮影された静止画を再生するときに動画再生をベースとしたレコーダブルプレーヤやプレーヤでも再生でき、かつ高精細の静止画記録を行うことができる。
【図面の簡単な説明】
第１図は、本発明に係る映像記録装置の一実施例としてのカメラ一体型記録装置のシステムブロック図であり、第２図は、そのカメラ一体型記録装置における記録媒体への記録フォーマットを示す図であり、第３図は、本発明に係る映像記録装置の一実施例としてのカメラ一体型記録装置のシステムブロック図を示す図であり、第４図は、そのカメラ一体型記録装置における記録媒体への記録フォーマットを示す図であり、第５図は、本発明に係る映像再生装置の一実施例のシステムブロック図を示す図であり、第６図は、本発明に係る映像再生装置の一実施例のシステムブロック図を示す図である。
【図１】
0003551181.tif 000002
【図２】
0003551181.tif 000003
【図３】
0003551181.tif 000004
【図４】
0003551181.tif 000005
【図５】
0003551181.tif 000006
【図６】
0003551181.tif 000007